(57)【要約】      （修正有）【課題】カラオケの歌唱採点を競う全国規模の大会に於いて、最高得点者の録音および録画を保存をするネットワークカラオケシステムを提供する。【解決手段】得点情報４を受信したサーバは、歌唱の得点が０点の場合、すべての処理を0点判定６にてスキップし、歌唱の得点が、保存済みの最高得点ｍを越える得点であった場合、得点判定７にてカラオケ装置に対して、録音・録画データリクエスト１２を送信する。カラオケ装置は、録音・録画データ１３をサーバへ送る。録音・録画データ１３を受信したサーバは、最高得点ｍにこの歌唱の得点を上書きし、録音・録画データ１３を、録音・録画データ保存８にてＲＥＣＯＲＤ＿Ｍ格納する。得点が最高得点ｍと同得点であった場合は同点判定９にて判定し、録音・録画データリクエスト１２を送信し、１０にて保存済みの録音・録画データはそのままで、歌唱の録音・録画データ１３をＲＥＣＯＲＤ＿Ｍ追加する。【選択図】図１
2016153866.tif 000002
【特許請求の範囲】
【請求項１】
歌唱を採点する採点機能と歌唱を常時録音または録画をすることができるカラオケ装置であって、サーバで複数のカラオケ装置が同一ネットワーク上に接続され、
１人または複数人の複数回の歌唱を当該採点機能によって採点し、その結果をサーバで管理できるネットワークカラオケシステムにおいて、
常にその時点で採点がトップの歌唱を暫定トップとしてサーバに録音・録画データを保存することを特徴とするネットワークカラオケシステム。
【発明の詳細な説明】
【技術分野】
【０００１】
本発明は、歌唱採点機能を備えたカラオケ装置において、カラオケ歌唱の得点を競う場で、最高得点者の録音および録画を保存しておく技術に関する。
【背景技術】
【０００２】
カラオケ端末装置には歌唱採点機能があり、この機能により音程や発音タイミングの差によって得点を算出する。そこで、歌唱採点機能が利用されるとその利用機会に算出した得点をセンターサーバ装置に送信し、センターサーバ装置は各地のカラオケ端末装置から歌唱得点を収集して採点ランキングなどにまとめてその収集情報を各地のカラオケ端末装置に配信し、カラオケ端末装置は、配信された情報を適宜に表示出力して利用者に提示する。
【０００３】
たとえば、特許文献１に記載の通信カラオケシステムによれば、カラオケ端末装置が利用者を特定するための利用者ＩＤを取得することで、誰が何を歌って何点取ったのかをセンターサーバ装置に送信するようになっている。センターサーバ装置はその送信情報に基づいて月間あるいは年間など所定期間ごとに採点ランキングを作成する。
【０００４】
それによって、例えば、これをカラオケ端末装置に配信し、利用者は、カラオケ端末装置に採点ランキングを表示させ、自身がランキング中のどの位置にいるのかを知ることができる。また、カラオケ事業者が所定期間の区切りごとに採点ランキングの上位利用者に賞品などを送付するサービスを提供することもできるようになっている。
【０００５】
一方、カラオケ装置では、楽曲に合わせて歌唱を楽しむのみならず、歌唱の練習あるいは他者への公開を目的として歌唱の録音が行われており、現在普及しているカラオケ装置には、歌唱者の音声を記録するための録音機能を有するものがある。またカラオケのサービス形態として、ユーザによる楽器演奏音や歌唱音を録音した音データを含む公開データをサーバに投稿し、サーバに投稿された公開データをカラオケ装置や楽器演奏装置等の音楽再生装置で再生するサービスもある。
【先行技術文献】
【特許文献】
【０００６】
【特許文献１】特許第４１３７７５２号公報
【特許文献２】特願２０１４−１７７８６４号公報
【発明の概要】
【発明が解決しようとする課題】
【０００７】
特許文献１は、歌唱の得点を全国的規模で競う機会などで、歌唱者の現時点の歌唱力を全国規模で正確に比較・評価できるカラオケ装置を提供するものである。
【０００８】
特許文献２は、本発明の発明者が先に出願したもので、
カラオケを楽しむ際に、録音を指定すると緊張して上手く歌唱できないことが多く、録音をあきらめて歌唱をしたときにリラックスして上手く歌唱できることがよくあるため、結果上手く歌唱できたときに録音データを取り出せるように、カラオケ演奏の際、常時録音録画を行うようにした。
【０００９】
歌唱の得点を全国的規模で競う機会において、記録のため、また最高得点者の歌唱の録音または録画を優勝者へプレゼントするためなどの目的で、歌唱を録音や録画しておきたいというニーズがあったが、ランキング上位者の歌唱録音や録画を個別でなくネットワークとして保存するというものがなかった。
【課題を解決するための手段】
【００１０】
この問題を解決するために本発明の請求項１は、
歌唱を採点する採点機能と歌唱を常時録音または録画をすることができるカラオケ装置であって、サーバで複数のカラオケ装置が同一ネットワーク上に接続され、
１人または複数人の複数回の歌唱を当該採点機能によって採点し、その結果をサーバで管理できるネットワークカラオケシステムにおいて、
常にその時点で採点がトップの歌唱を暫定トップとしてサーバに録音・録画データを保存することを特徴とするネットワークカラオケシステムである。
【図面の簡単な説明】
【００１１】
【図１】本発明の実施例に係るサーバ側処理のフロー図。
【図２】本発明の実施例に係るカラオケ装置側処理のフロー図。
【発明を実施するための形態】
【００１２】
本発明の実施例を図１と図２のフローに従って説明する。
ここで「保存済み最高得点」をｍ、そのときの録音・録画データをＲＥＣＯＲＤ＿Ｍとし、ｍ初期値は‘０’である。
また得点が実際に0点だった場合は録音・録画を残さないこととする。  まず、図２において歌唱中は、カラオケ装置は無条件に歌唱録音・録画１４を行う。  歌唱終了後、カラオケの採点機能により得点１５が算出される。
カラオケ装置はサーバに向けで得点情報４を送信する。
一方、図１において得点情報４を受信したサーバは、
もし、当該歌唱の得点が０点の場合、すべての処理をスキップする。（0点判定６）
このときの当該歌唱の得点が、保存済みの最高得点ｍを越える得点である時、（得点判定７）カラオケ装置に対して、録音・録画データリクエスト１２を送信する。
図２において、録音・録画データリクエスト１２を受信したカラオケ装置は、録音・録画データ１３をサーバへ送る。
図１において、録音・録画データ１３を受信したサーバは、最高得点ｍにこの歌唱の得点を上書きし、当該録音・録画データ１３を、ＲＥＣＯＲＤ＿Ｍ格納する。（録音・録画データ保存８）
【００１３】
一方、当該歌唱の得点が、保存済みの最高得点ｍと同得点であった場合は、（同点判定９）上記同様に、カラオケ装置に対して、録音・録画データリクエスト１２を送信し、カラオケ装置より受信した録音・録画データ１３を得るが、保存済みの録音・録画データはそのままで、当該歌唱の録音・録画データ１３をＲＥＣＯＲＤ＿Ｍ追加する。（録音・録画データ保存１０（同点処理））
【００１４】
上記どれにも該当しない場合、すなわち、得点が0点でなくても、保存されている最高得点より低い得点の場合は、サーバはカラオケ装置へ録音・録画データのリクエスト以降の処理は行わない。
これにより、最終的に優勝した歌唱者の録音・録画のみを保存することが可能となる。
【００１５】
また、上記暫定トップを決める際の得点比較範囲を、楽曲毎または一定の期間、または一定の地域について、またはこれらの組合せで行うようにしてもよい。
【符号の説明】
【００１６】
４…得点情報
６…0点判定
７…得点判定
８…録音・録画データ保存
９…同点判定
１０…録音・録画データ保存
１２…録音・録画データリクエスト
１３…録音・録画データ受信
１４…歌唱録音・録画
１５…採点
【図１】
2016153866.tif 000003
【図２】
2016153866.tif 000004